(57)【特許請求の範囲】
【請求項１】
パワーフォーカスが可能な電子的撮像装置であって、
該パワーフォーカス時のレンズの移動を操作する十字キーと、
該十字キーに隣接して配置され、パワーフォーカス時のレンズの移動を表示するための表示部と、
前記十字キーの水平方向のキーによりパワーフォーカス時のレンズの移動を制御する制御手段と、
を備え、
パワーフォーカス時の前記十字キーの操作方向と、前記表示部に表示されたレンズの移動方向の表示が同一方向であることを特徴とする電子的撮像装置。
【請求項２】
パワーフォーカスが可能な電子的撮像装置であって、
該パワーフォーカス時のレンズの移動を操作する十字キーと、
該十字キーに隣接して配置され、パワーフォーカス時のレンズの移動を表示するための表示部と、
前記十字キーの水平方向のキーによりパワーフォーカス時のレンズの移動を制御する制御手段と、
を備え、
前記表示部の底辺に沿って水平方向に、撮影レンズの焦点位置に対応して移動する指標を表示し、該指標は前記十字キーの操作方向と同一の方向に移動することを特徴とする電子的撮像装置。
【発明の詳細な説明】
【０００１】
【発明の属する技術分野】
この発明は、電子的撮像装置のパワーフォーカス（電動式のマニュアルフォーカス）に関するものである。
【０００２】
【従来の技術】
従来から、電子ファインダー等に表示された被写体像のピント状態を観察しながらフォーカス制御をしたり、特開平６−１１３１８４号公報等に記載されているように、合焦状態検出手段により合焦状態を確認しながら、マニュアルフォーカスやパワーフォーカスによっても素早くかつ確実にピント合わせを行うようにしたカメラ装置が知られている。
【０００３】
【発明が解決しようとする課題】
しかしながら、従来のこのような装置においては、合焦位置から撮影レンズが大幅にずれていても、初めからファインダーに表示されている被写体像のピント状態や、合焦状態検出手段による合焦状態を確認しながらピントを合わせるためにピント合わせに時間がかかっていた。
【０００４】
本発明は、上記の従来技術の問題点を解決するために、簡単な構成で素早く確実にパワーフォーカス制御することが可能な電子的撮像装置を提供することを目的とするものである。
【０００５】
【課題を解決するための手段】
第１の発明による電子的撮像装置は、請求項１に記載したように、パワーフォーカスが可能な電子的撮像装置であって、該パワーフォーカス時のレンズの移動を操作する十字キーと、該十字キーに隣接して配置され、パワーフォーカス時のレンズの移動を表示するための表示部と、前記十字キーの水平方向のキーによりパワーフォーカス時のレンズの移動を制御する制御手段と、を備え、パワーフォーカス時の前記十字キーの操作方向と、前記表示部に表示されたレンズの移動方向の表示が同一方向であることを特徴とするものである。
【０００７】
第２の発明は、請求項２に記載したように、パワーフォーカスが可能な電子的撮像装置であって、該パワーフォーカス時のレンズの移動を操作する十字キーと、該十字キーに隣接して配置され、パワーフォーカス時のレンズの移動を表示するための表示部と、前記十字キーの水平方向のキーによりパワーフォーカス時のレンズの移動を制御する制御手段と、を備え、前記表示部の底辺に沿って水平方向に、撮影レンズの焦点位置に対応して移動する指標を表示し、該指標は前記十字キーの操作方向と同一の方向に移動することを特徴とするものである。
【０００８】
これらの本発明においては、パワーフォーカス時に撮影レンズの焦点位置を表示する表示部に隣接して配置された十字キーの水平方向のキーにより、パワーフォーカス時のレンズを移動できるので、パワーフォーカス時に撮影レンズの焦点位置を確認しながら撮影レンズを操作でき、合焦位置から撮影レンズが大幅にずれている場合、まず目測で観測したおおよその焦点位置に撮影レンズを素早く駆動してピント合わせを行うことができ、全体のピント合わせの時間を短縮することができる。
【０００９】
【発明の実施の形態】
発明の実施の形態について図面を参照して説明する。
図１は本発明の一実施の形態の電子的撮像装置を示すブロック図である。なお、本実施の形態は、オートフォーカス（以下ＡＦ）機能を有す一方、電動式のマニュアルフォーカス機能即ちパワーフォーカス（以下ＰＦ）機能を有する電子的撮像装置について説明する。
【００１０】
図１において、電子的撮像装置は、レンズ部１０と、撮像素子であるＣＣＤ２０と、撮像部３０と、記録部４０と、カードアクセス部４１と、メモリカード４２と、再生部５０と、パワーフォーカスとオートフォーカスとの切替用のスイッチ回路６０と、電子ズーム回路６１と、オンスクリーン回路（ＯＳＤ）６２と、表示部である液晶モニタ６３と、レンズ制御部７０と、制御手段であるシステム制御部８０と、各種スイッチ９０と、直流電源100 と、電源回路101 と、電源スイッチ102 と、ストロボ充電／発光制御部110 と、ストロボ発光部111 とで構成されている。
【００１１】
前記レンズ部１０はズームレンズ１１とフォーカスレンズ１２とで構成され、撮像部３０は増幅部（ＡＭＰ）３１とサンプル／ホールド回路（Ｓ／Ｈ）３２とアナログ／ディジタル変換器（Ａ／Ｄ）３３と露出／フォーカス（ＡＥ／ＡＦ）データ作成回路３４と撮像部用タイミングジェネレータ３５とで構成されている。
【００１２】
前記レンズ制御部７０はモータ駆動用パルスジェネレータ７１とズーム用ドライバ７２とズーム用ステップモータ７３とフォーカス用ドライバ７４とフォーカス用ステップモータ７５とで構成されている。
【００１３】
以下に、各部の機構及び回路について説明する。
レンズ部１０を構成するズームレンズ１１は、ズーム機構によりその光軸上に沿って移動可能にされ、またフォーカスレンズ１２は、フォーカス機構によってその光軸上に沿って移動可能にされている。そして、レンズ部１０の光軸上には撮像素子である１チップ構成のＣＣＤ（電荷結合素子）２０が配設され、レンズ部１０で撮影された被写体（図示せず）の撮影像がＣＣＤ２０の撮像面に結像するようになっている。
【００１４】
ＣＣＤ２０は、撮像部用タイミングジェネレータ３５により駆動タイミングがとられ、その撮像動作を制御されるようになっている。
【００１５】
ＣＣＤ２０により撮影され光電変換された画像信号は、増幅部３１で所定レベルにまで増幅され、サンプル／ホールド回路３２でサンプル／ホールドされて１画素ごとの信号値が出力され、次段のＡ／Ｄ変換器３３でアナログ信号からディジタル信号に変換される。ディジタル化された画像信号は記録部４０に供給される一方ＡＥ／ＡＦデータ作成回路３４に供給される。
【００１６】
記録部４０では、前記のディジタル化された画像信号を記録用信号に処理しカードアクセス部４１を通してメモリカード４２に記録する。ＡＦモードで撮影中は、カードアクセス部４１は、システム制御部８０の制御によってメモリカード４２に画像信号を記録すると同時に再生部５０を通し更にスイッチ回路６０の第２入力端ｂ及び電子ズーム回路６１並びにオンスリーン回路６２を通して、液晶モニタ６３に撮影中の画像を表示する。勿論、画像信号をメモリカード４２に一旦記録した後、再生（ＰＬＡＹ）ボタンが押された時は、システム制御部８０の制御によって、カードアクセス部４１はメモリカード４２に記録されている画像信号を読み出して再生部５０で再生処理して、スイッチ回路６０の第２入力端ｂ及び電子ズーム回路６１並びにオンスリーン回路６２を通して、液晶モニタ６３に再生画像を表示することができる。
【００１７】
ＡＥ／ＡＦデータ作成回路３４は、内部に設けられた輝度信号成分の抽出回路によって抽出した輝度信号成分から、ＡＥデータ作成手段によって露出情報であるＡＥデータを得、得られたＡＥデータをシステム制御部８０に供給する一方、前記の抽出した輝度信号成分を、ハイパスフィルタと積分器で構成されるＡＦデータ作成手段に供給し、ハイパスフィルタを用いて高域成分のみを抽出し、さらにその高域成分を積分器を用いて積分して、フォーカス情報であるＡＦデータを得、得られたＡＦデータをシステム制御部８０に供給する。なお、システム制御部８０は、前記のＡＥデータに基づいて絞り制御情報を算出して図示しない絞り機構に供給する。また、システム制御部８０は、ＡＦモードが設定されている時は（このＡＦモードの設定は、各種スイッチ９０のうちのＰＦボタンによってＰＦモードを設定していない初期状態に相当する）、フォーカス機構の動作に伴って得られる前記のＡＦデータに基づいて山登り方式と呼ばれている演算を行いそれに基づいてフォーカス制御情報を生成し、レンズ制御部７０のパルスジェネレータ７１に供給する。これによって、フォーカス用ドライバ７４を通してステップモータ７５を駆動し、フォーカスレンズ１２を自動的に合焦位置に設定することが可能である。
【００１８】
前記の撮像部３０でディジタル化された画像信号は、スイッチ回路６０の第１入力端ａにも供給されている。スイッチ回路６０は、各種スイッチ９０のうちのＰＦボタンを押すたびに、第１入力端ａ又は第２入力端ｂに交互に切り替えられるように制御され、第１入力端ａに切り替えられた時は、前記撮像部３０からのディジタル化された画像信号が、電子ズーム回路６１を通してオンスリーン回路６２に供給されて液晶モニタ６３に表示されるようになっている。また、第２入力端ｂに切り替えられた時は、再生部５０からの再生信号が電子ズーム回路６１を通してオンスリーン回路６２に供給されて液晶モニタ６３に表示されるようになっている。
【００１９】
電子ズーム回路６１は、ＰＦボタンが押されてスイッチ回路６０が第１入力端ａに切り替わると同時にシステム制御部８０からの制御信号によって撮影中の被写体像を所定の位置（例えばフォーカスマーク）を中心に所定の表示倍率で拡大表示するように制御して出力するものである。また、再生（ＰＬＡＹ）ボタンが押されたときは、電子ズーム回路６１は、スイッチ回路６０が第２入力端ｂに切り替わると同時にシステム制御部８０からの制御信号によって再生部５０からの画像をノーマルな（或いは拡大した）大きさで表示するように制御して出力する。
【００２０】
また電子ズーム回路６１は、ＣＣＤ２０が例えば４０万〜１３０万画素あるのに対して、液晶モニタ６３が６万〜２０万画素と画素数が少ないので、ＣＣＤ２０によって撮影された画像信号の画素数を間引いて液晶モニタ６３に供給する。オンスクリーン回路62は、システム制御部80からのデータに基づき、画像にキャラクタを重畳するための回路である。
【００２１】
システム制御部８０に対しては、直流電源100 に基づいて電源回路101 から各回路に適宜の直流電圧が供給できるようになっている。また、各種スイッチ９０のうちのストロボボタンが押された時（つまりストロボモードとされている時）は、ストロボ充電／発光制御部110 に対して充電電流が供給されて主コンデンサＣM に対して充電が行われ、図示しないシャッタレリーズボタンを押すと、システム制御部８０の制御によってストロボ発光部111 が発光して被写体をフラッシュ照明するようになっている。
【００２２】
システム制御部８０は、マイクロコンピュータ（ＣＰＵ，ＲＯＭ，及びＲＡＭ）で構成され、装置各部３４，３５，４１，１０１，１１０及び各種スイッチ９０からの信号を受け入れて各種の演算制御を行うもので、上記装置各部３５，４１，５０，６０，６１，６２，７１，１０２，１１０などに対して制御信号を供給する。また、システム制御部８０は、ＰＦ時は、指示手段（図７の説明参照）により指定された画像の所定位置を中心にして、表示倍率設定手段（図７の説明参照）により設定された表示倍率で被写体の動画を拡大して、表示部である液晶モニタ６３に表示する制御を行う。或いは、システム制御部８０は、表示部である液晶モニタ６３に、撮影画像のうち、所定の一部の領域を画面全体に拡大した第１の画像と、前記撮影画像の全体を画面の一部に縮小した第２の画像とを同一画面上に同時に表示する制御を行い、かつ、ＰＦ時は、前記第１，第２の画像のうち少なくとも前記第１の画像は動画を表示するように制御する。
【００２３】
図２に、図１の電子的撮像装置として使用される電子カメラの外観（背面側）を示す。前述の各種スイッチ９０として、ズームレンズ１１をズーム駆動するためのズームボタン９１，記録画像の再生を行うための再生ボタン９２，各種設定を行うためのメニューボタン９３，ＰＦモードとするためのＰＦボタン９４，撮影を開始するためのシャッタレリーズボタン９５，各種設定時の項目選択及び確定を行うための十字キー９６などが配設されており、また撮影画像の表示や各種設定時のメニュー表示などを行うための液晶モニタ６３や、画角合わせなどを行うための電子式ファインダー300 が配設されている。
【００２４】
次に、本発明の動作を説明する。
撮影を実行する場合には、まず、電子的撮像装置の電源を立ち上げてから、撮影画角の観察のため電子式ファインダー300 内に被写体をとらえる。通常は、電源を立ち上げ後は、ＡＦモードに初期設定されるので、撮影している画像が、記録部４０，カードアクセス部４１，再生部５０，スイッチ回路６０の第２入力端ｂを経て、液晶モニタ６３に表示される。或いは、電源を立ち上げ後、各種スイッチ９０のうちのＰＦボタンを押して、ＰＦ切替動作を行い、ＰＦモードに切り替える。
【００２５】
ここで、ＰＦモードに切り替える場合について説明する。図３及び図５を参照して、ＰＦ切替処理及びＰＦ処理について説明する。前述したように、ＰＦボタンは押すたびにＰＦモードとＡＦモードとが状態反転する。ＰＦ処理に必要なスイッチ配置は、例えば図４に示すようにメニュースイッチ（ＭＥＮＵ）９３の近くに配設された十字キー９６（ライト，レフトの各キーＲ，Ｌ、アップ，ダウンの各キーＵ，Ｄ、およびオーケーキーＯＫからなる）を用いて行う。しかも、十字キー９６は、フォーカス調整に伴うレンズ位置の移動を表示できる液晶モニタ６３に隣接して配置されている。即ち、ＰＦにおいては、フォーカス駆動手段（７１，７４，７５）にてフォーカスレンズ１２を移動し、該レンズをピントの合った位置で停止する必要があるが、このフォーカスレンズ１２のレンズ位置（至近〜∞）を変えるのに、十字キー９６における水平方向のキーであるレフトキー（Ｌ）とライトキー（Ｒ）を用いて行う。
【００２６】
ＰＦ切替処理はＰＦキーが押されたときのみ処理が行われ、図３に示すように、現在、ＰＦモードか否かを判断し（ステップＳ11）、ＰＦモードだったら、ＡＦモードに設定してレンズ部１０を初期設定する（ステップＳ12，Ｓ13）。ステップＳ11で、ＰＦモードでなかったら、ＰＦモードに設定する（ステップＳ14）。
【００２７】
ＰＦモードに入ってからのＰＦ処理は、図５に示すように、まず、ライトキー（Ｒ）がオンか否かを判定し（ステップＳ21）、ライトキー（Ｒ）がオンしていれば、フォーカスレンズのレンズ位置が至近（これは、レンズ部前面から被写体までの撮影可能な最短距離であり、通常モードでは、例えば０．６ｍである）か否かを判定し（ステップＳ22）、すでに至近であれば、レンズ位置を至近に固定して（ステップＳ23）、レンズを停止し（ステップＳ34）、液晶モニタ６３の表示を元の表示（フォーカス用の拡大表示ではない）に戻す（ステップＳ35）。これは、至近位置ではＰＦ（パワーフォーカス）を行っても意味がないからである。ステップＳ22において、レンズ位置が至近でないならば、被写体撮影画像の所定位置（例えばフォーカスマーク）を中心にして、所定の倍率で被写体の動画を液晶モニタ６３に拡大して表示する。
【００２８】
なお、このモニタ拡大表示の倍率は、図３におけるＰＦモード移行前に設定される。即ち、メニューキー（ＭＥＮＵ）を少なくとも一度か押すことによって、システム制御部８０の制御によって、液晶モニタ６３がメニュー表示部として動作し、表示画面上に複数の表示倍率（例えば、×１，×２，×４，×８）をメニュー表示させ、該表示倍率のうちから例えば前述の十字キー９６におけるアップキー（Ｕ）又はダウンキー（Ｄ）およびオーケーキー（ＯＫ）の操作によって表示倍率を選択・確定すると、その表示倍率に相当する制御値が電子ズーム回路６１に設定されるようになっている。設定後、ＰＦボタンを押すと、ＰＦモードに移行する（図３で述べた動作）。
【００２９】
ステップＳ24のモニタ拡大表示の後は、レンズを至近方向に駆動し（ステップＳ25）、レンズ位置が至近か否かを判定し（ステップＳ26）、レンズ位置が至近ならば、前述のステップＳ23，Ｓ34，Ｓ35を実行する。ステップＳ26でレンズ位置が至近でないならば、ライトキー（Ｒ）のオンが解除されるまで、即ちライトキー（Ｒ）から指が離されるまで、ステップＳ25，Ｓ26，Ｓ27を繰り返し、例えばフォーカスが最適調整されてライトキー（Ｒ）から指が離されると、ステップＳ34，Ｓ35に移行してフォーカスレンズ１２のレンズ駆動を停止し、モニタ表示を元に戻す。
【００３０】
即ち、ステップＳ27では、ライトキー（Ｒ）がオンか否かを判定し、ライトキー（Ｒ）が押されていなければ、前述のステップＳ34，Ｓ35（レンズ停止及びモニタ表示を元に戻す）を実行する。ライトキー（Ｒ）が押されていれば、ステップＳ25に戻り、レンズを至近方向に駆動する動作を継続する。
【００３１】
ＰＦ処理では、前述のステップＳ21で、ライトキー（Ｒ）がオフならば、ステップＳ31でレフトキー（Ｌ）がオンか否かが判定される。ステップＳ31でレフトキー（Ｌ）がオンならば、先述のステップＳ22〜Ｓ27，Ｓ34，Ｓ35と同様に、フォーカスレンズ１２のレンズ位置が無限遠（∞）か否かを判定した（ステップＳ32）後、Ｓ32〜Ｓ39を実行する。
【００３２】
ステップＳ31で、レフトキー（Ｌ）がオンしていれば、フォーカスレンズ１２のレンズ位置が無限遠か否かを判定し（ステップＳ32）、すでに無限遠であれば、レンズ位置を無限遠に固定して（ステップＳ33）、レンズを停止し（ステップＳ34）、液晶モニタ６３の表示を元の表示（フォーカス用の拡大表示ではない）に戻す（ステップＳ35）。これは、無限遠位置ではＰＦを行っても意味がないからである。ステップＳ32において、フォーカスレンズ１２のレンズ位置が無限遠でないならば、被写体撮影画像の所定位置（例えばフォーカスマーク）を中心にして、所定の倍率で被写体の動画を液晶モニタ６３に拡大して表示する。
【００３３】
ステップＳ36のモニタ拡大表示の後は、レンズを無限遠方向に駆動し（ステップＳ37）、レンズ位置が無限遠か否かを判定し（ステップＳ38）、レンズ位置が無限遠ならば、前述のステップＳ33，Ｓ34，Ｓ35を実行する。ステップＳ38でレンズ位置が無限遠でないならば、レフトキー（Ｌ）のオンが解除されるまで、即ちレフトキー（Ｌ）から指が離されるまで、ステップＳ37，Ｓ38，Ｓ39を繰り返し、例えばフォーカスが最適調整されてレフトキー（Ｌ）から指が離されると、ステップＳ34，Ｓ35に移行してフォーカスレンズ１２のレンズ駆動を停止し、モニタ表示を元に戻す。
【００３４】
以上のように、本実施の形態では、ＰＦボタンの操作に基づき、制御手段としてのシステム制御部８０は、マニュアルフォーカスであるＰＦと、オートフォーカスであるＡＦとを切り替えることが可能であり、ＰＦ時は、表示部である液晶モニタ６３にＡＦ時よりも所定の倍率で拡大された被写体の動画を表示するように制御を行う。
【００３５】
従って、撮影時に、ＰＦボタン操作によってＡＦモードからＰＦモードにフォーカスモードを切り替えると、液晶モニタ６３には、図６(a) に示すように撮影画像が表示された状態から、図６(b) に示すように画像の所定の位置を中心にして所定の表示倍率で拡大された画像が表示される。ユーザーは、図６(b) の拡大表示を見ながら、図４に示した十字キー９６の水平方向のキーであるライトキー（Ｒ）あるいはレフトキー（Ｌ）を操作することによってフォーカスレンズ１２を被写体に対して前後動させてピント合わせを行うことができる。
【００３６】
なお、図６(b) の拡大表示画面には同時に焦点状態表示手段としてのグラフ表示部201 が画面上の水平方向に棒状或いは帯状に作成表示され、該グラフ表示部201 の中にレンズ位置（指標202 ）が示される。これは、システム制御部８０においてズームトラッキングカーブから演算により求まるレンズ位置を表示したものであり、ユーザーはこのレンズ位置の表示を参照しながら焦点状態を判断することができる。例えば、図６(b) に示すように撮影範囲（レンズ前面から）が０．６ｍ（至近）〜∞（無限遠）のカメラであった場合に、拡大表示されている被写体例えば図示「木」までの距離が実際には２０ｍであるのに、グラフ表示部201 における指標（演算によって求めたレンズ位置を示すもの）202 が１ｍであるならばフォーカスレンズ１２の位置がおかしいと判断できるので、十字キー９６のレフトキー（Ｌ）を操作してフォーカスレンズ１２を無限遠（∞）方向つまり左方向に移動して指標202 が２０ｍに対応した位置になるようにフォーカスレンズ調整する。このようにして、十字キー９６の水平方向のキーであるＬ，Ｒキーによるフォーカス調整を行う際に、拡大された画像表示のピント状態と、グラフ表示部201 にグラフ表示されたレンズ位置とから合焦状態をより正確に判断することができる。つまり、ユーザーは、グラフ表示部に表示されたレンズ位置を参照しながら、拡大表示された画像が最も鮮明になるようにＰＦ調整すればよいことになる。
【００３７】
図６の実施の形態によれば、パワーフォーカス時に撮影レンズの焦点位置を表示する表示部としての液晶モニタ６３に隣接して配置された十字キー９６の水平方向のキーにより、パワーフォーカス時のレンズ１２を移動できるので、パワーフォーカス時にレンズ１２の焦点位置を確認しながら撮影レンズを操作でき、合焦位置からレンズ１２が大幅にずれている場合でも、まず目測で観測したおおよその焦点位置にレンズ１２を素早く駆動してピント合わせを行うことができ、全体のピント合わせの時間を短縮することができる。
【００３８】
さらに、パワーフォーカス時の前記十字キー９６の操作方向と、前記液晶モニタ６３に表示されたレンズの移動方向の表示が同一方向であるので、フォーカス調整時の操作性がよい。また、表示部である前記液晶モニタ６３の底辺に沿って水平方向に、レンズ１２の焦点位置に対応して移動する指標202 を表示し、該指標202 は十字キー９６の操作方向と同一の方向に移動するので、フォーカス調整時の操作性に優れているとともに操作時の視認性に優れている。
【００３９】
尚、以上述べた実施の形態では、図５及び図６に示したように、ＰＦモード時には、撮影画像の所定位置を中心として拡大表示を行う場合について説明したが、本発明は、ＰＦ時に拡大画像表示とともに焦点状態表示用のグラフ表示部201 を表示する場合に限定されることなく、ＰＦ時に特に拡大することもなく表示した画像表示とともに焦点状態表示用のグラフ表示部201 を表示する場合にも適用できることは勿論である。また、以上述べた実施の形態では、電子式ファインダーを持った電子カメラについて説明したが、本発明は、光学式ファインダーを持った電子カメラに対しても適用することができる。
【００４０】
【発明の効果】
以上述べたように、特許請求の範囲の請求項１にかかる発明によれば、パワーフォーカス時の十字キーの操作方向と、表示部に表示されたレンズの移動方向の表示が同一方向であるので、フォーカス調整時の操作性がよい。また、特許請求の範囲の請求項２にかかる発明によれば、表示部の底辺に沿って水平方向に、撮影レンズの焦点位置に対応して移動する指標を表示し、該指標は十字キーの操作方向と同一の方向に移動するので、フォーカス調整時の操作性に優れているとともに操作時の視認性に優れている。
【図面の簡単な説明】
【図１】本発明の一実施の形態の電子的撮像装置を示すブロック図。
【図２】図１の電子的撮像装置として使用される電子カメラの外観（背面側）を示す斜視図。
【図３】図１におけるＰＦ切替処理を説明するフローチャート。
【図４】図１における表示部と十字キーなどの配置例を示す図。
【図５】図１におけるＰＦ処理を説明するフローチャート。
【図６】ＰＦモードにおける焦点状態表示手段の例を説明する図。
【符号の説明】
１０…レンズ部
１２…フォーカスレンズ
２０…ＣＣＤ（撮像素子）
３０…撮像部
６１…電子ズーム回路
６３…液晶モニタ（表示部）
７０…レンズ制御部
７４…ドライバ
７５…ステップモータ
８０…システム制御部
７０と８０…制御手段
９６…十字キー
２０１…グラフ表示部（焦点状態表示手段）
２０２…指標
【図１】
0004050386.tif 000002
【図２】
0004050386.tif 000003
【図３】
0004050386.tif 000004
【図４】
0004050386.tif 000005
【図５】
0004050386.tif 000006
【図６】
0004050386.tif 000007